(57)【特許請求の範囲】
【請求項１】
画像を撮像する撮像手段と、
遠隔にある外部装置と通信する通信手段と、
画像撮影モードを含む複数の動作モードのいずれかに切り替えるユーザ操作を受け付け可能な操作手段と、
前記操作手段の動作モードの設定状態にかかわらずに前記外部装置からの要求に応じた画像撮影モードに設定するモード設定手段と、
前記外部装置との通信が切断されたことが検出されたときに、撮像装置の動作モードが前記操作手段の設定状態とは異なる画像撮影モードに設定されていた場合と前記操作手段の設定状態と同じ画像撮影モードに設定されていた場合とで制御を切り替える制御手段と、を有することを特徴とする撮像装置。
【請求項２】
前記制御手段は、前記外部装置との通信が切断されたことが検出されたときに、前記撮像装置の動作モードが前記操作手段の設定状態とは異なる画像撮影モードに設定されていた場合には画像撮影を停止し、前記操作手段の設定状態と同じ画像撮影モードに設定されていた場合には画像撮影を継続するように制御することを特徴とする請求項１に記載の撮像装置。
【請求項３】
前記制御手段は、前記外部装置との通信が切断されたことが検出された後、自動で再接続を行うように前記通信手段を制御し、
前記撮像装置の動作モードが前記操作手段の設定状態とは異なる画像撮影モードに設定されていた場合には、前記外部装置との通信が切断されてから所定の時間が経過する間は前記外部装置との再接続が検出されるまで画像撮影を継続し、
前記外部装置との再接続が検出されないまま所定の時間が経過した場合は画像撮影を停止するように制御することを特徴とする請求項１に記載の撮像装置。
【請求項４】
前記制御手段は、前記モード設定手段により前記操作手段の動作モードの設定状態とは異なる画像撮影モードに設定された場合に、前記操作手段を介したユーザ操作を受け付けないロック状態とし、
前記外部装置との通信が切断されたことが検出されたときに、前記撮像装置の動作モードが前記操作手段の動作モードの設定状態とは異なる画像撮影モードに設定されていた場合には、前記ロック状態を解除するように制御することを特徴とする請求項１に記載の撮像装置。
【請求項５】
前記制御手段は、前記ロック状態を解除した後、前記撮像装置の動作モードが前記操作手段の動作モードの設定状態とは異なる画像撮影モードに設定された状態が解除されるまで、当該撮像装置の動作モードが前記操作手段の設定状態と異なる画像撮影モードに設定されていることを表示手段に表示するように制御することを特徴とする請求項４に記載の撮像装置。
【請求項６】
前記制御手段は、前記操作手段が操作されたことにより前記撮像装置の動作モードが前記操作手段の動作モードの設定状態と同じ画像撮影モードに切り替えられた場合には、前記表示手段による表示を停止することを特徴とする請求項５に記載の撮像装置。
【請求項７】
前記制御手段は、前記操作手段が操作されたことにより前記画像撮影モードではない動作モードに切り替えられた場合には、画像撮影を停止することを特徴とする請求項６に記載の撮像装置。
【請求項８】
前記画像撮影モードは、動画記録モードであることを特徴とする請求項１乃至７のいずれか１項に記載の撮像装置。
【請求項９】
画像を撮像する撮像手段と、
遠隔にある外部装置と通信する通信手段と、
画像撮影モードを含む複数の動作モードのいずれかに切り替え可能な操作手段と、を有する撮像装置の制御方法であって、
前記操作手段の操作による画像撮影モードの設定状態にかかわらずに前記外部装置からの要求に応じた画像撮影モードに設定する工程と、
前記外部装置との通信が切断されたときに、撮像装置の動作モードが前記操作手段の設定状態とは異なる画像撮影モードであった場合と前記操作手段の設定状態と同じ画像撮影モードであった場合とで制御を切り替える工程と、を有することを特徴とする制御方法。
【請求項１０】
コンピュータを、請求項１乃至８のいずれか１項に記載の撮像装置の各手段として機能させるためのプログラム。
【発明の詳細な説明】
【技術分野】
【０００１】
本発明は、撮像装置を通信装置により遠隔制御する技術に関する。
【背景技術】
【０００２】
デジタルカメラなどの撮像装置に無線通信機能を搭載し、無線ネットワークを介して通信可能に接続されたスマートフォンやパーソナルコンピュータ（ＰＣ）などの通信装置をリモコンのように外部から操作してリモート撮影を行う技術が知られている。このような無線接続は、有線接続と比べると電波の影響を受けやすく、突然接続が切断されてしまうような状況が発生しうる。このような通信装置と連携してリモート撮影を行う技術として、特許文献１や特許文献２が提案されている。
【０００３】
特許文献１には、撮像装置の動作モードをリモート制御によって変更する場合に撮像装置のメカスイッチの設定状態にかかわらずリモート制御による撮像装置の動作モードを変更可能にする技術が記載されている。
【０００４】
また、特許文献２には、無線通信可能に接続された外部装置に撮像装置で撮影した画像を自動転送する設定が可能であり、撮像装置の動作モードと接続状況の少なくともいずれかに応じて自動転送の設定を許可または禁止する技術が記載されている。
【先行技術文献】
【特許文献】
【０００５】
【特許文献１】特開平１１−２６６３８３号公報
【特許文献２】特開２００７−０８１７５２号公報
【発明の概要】
【発明が解決しようとする課題】
【０００６】
上記特許文献１のようにメカスイッチによる動作モードの切り替えとリモート制御による動作モードの切り替えが可能な撮像装置を用いてリモート撮影を行う場合を考える。例えば、カメラのメカスイッチを静止画撮影モードに設定した状態で撮影を開始し、その後リモート制御により動画記録モードに切り替えられた場合、カメラのメカスイッチは静止画撮影モードに設定されているにもかかわらずリモート制御により動画記録モードへ切り替えられるという状況が生じする。
【０００７】
このようにカメラのメカスイッチの設定状態に反して内部的に動作モードが動画記録モードに切り替えられた状態において、リモート撮影中に外部装置との接続が切断された場合、ユーザが動画記録を停止させたり、継続させるための操作を行う際に、メカスイッチの動作モードの設定状態と異なっているため、ユーザの混乱を招き、操作性を低下させてしまうおそれがある。
【０００８】
本発明は、上記課題に鑑みてなされ、その目的は、画像撮影中に外部装置との通信が切断された場合であっても、ユーザの操作性を低下させることなく画像の撮影を行える技術を実現することである。
【課題を解決するための手段】
【０００９】
上記課題を解決し、目的を達成するために、本発明の撮像装置は、画像を撮像する撮像手段と、遠隔にある外部装置と通信する通信手段と、画像撮影モードを含む複数の動作モードのいずれかに切り替えるユーザ操作を受け付け可能な操作手段と、前記操作手段の動作モードの設定状態にかかわらずに前記外部装置からの要求に応じた画像撮影モードに設定するモード設定手段と、前記外部装置との通信が切断されたことが検出されたときに、撮像装置の動作モードが前記操作手段の設定状態とは異なる画像撮影モードに設定されていた場合と前記操作手段の設定状態と同じ画像撮影モードに設定されていた場合とで制御を切り替える制御手段と、を有する。
【発明の効果】
【００１０】
本発明によれば、画像撮影中に外部装置との通信が切断された場合であっても、ユーザの操作性を低下させることなく画像の撮影を行えるようになる。
【図面の簡単な説明】
【００１１】
【図１】本実施形態の装置構成を示すブロック図。
【図２】本実施形態のデジタルカメラ及びスマートフォンの外観図並びに仮想動画記録モード時のスマートフォンの表示画面を例示する図。
【図３】実施形態１の仮想動画記録モード時の処理を示すフローチャート。
【図４】実施形態２の仮想動画記録モード時の処理を示すフローチャート。
【図５】実施形態３の仮想動画記録モード時の処理を示すフローチャート。
【発明を実施するための形態】
【００１２】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１３】
［実施形態１］以下、本発明の撮像装置および通信装置としてデジタルカメラと携帯電話の一種であるスマートフォンを適用し、スマートフォン２００によりデジタルカメラ１００を遠隔から操作してリモート撮影を行うシステムについて説明する。
【００１４】
なお、本実施形態では、撮像装置としてデジタルカメラ１００を想定しているが、他のカメラ付き携帯電話やその一種であるスマートフォン（眼鏡型端末や腕時計型端末を含む）、携帯型のメディアプレーヤやゲーム機、電子ブックリーダなどの携帯型電子機器、あるいは、タブレット端末、カメラ付きのパーソナルコンピュータ（ＰＣ）などの情報処理装置であっても良い。また、本実施形態では、通信装置として携帯電話の一種であるスマートフォン（眼鏡型端末や腕時計型端末を含む）を想定しているが、無線通信機能付きのデジタルカメラやプリンタ、携帯型のメディアプレーヤやゲーム機、電子ブックリーダなどの携帯型電子機器、あるいは、タブレット端末、ＰＣなどの情報処理装置であっても良い。
【００１５】
＜デジタルカメラ１００の構成＞図１を参照して、本発明に係る実施形態のデジタルカメラ１００の構成及び機能の概略について説明する。
【００１６】
図１において、制御部１０１は、デジタルカメラ１００の全体を統括して制御する演算処理装置（ＣＰＵ）であって、後述する不揮発性メモリ１０６に格納されたプログラムを実行することで、後述するフローチャートの各処理を実現する。なお、制御部１０１が装置全体を制御する代わりに、複数のハードウェアが処理を分担することで、装置全体を制御してもよい。
【００１７】
光学系１０２は、ズームレンズやフォーカスレンズを含むレンズ群、絞り機能を備えるシャッターを含む。
【００１８】
撮像部１０３は、被写体像を電気信号に変換するＣＣＤやＣＭＯＳ等で構成されるイメージセンサである。
【００１９】
Ａ／Ｄ変換器１０４は、撮像部１０３から出力されるアナログ画像信号をデジタル信号に変換する。
【００２０】
画像処理部１０５は、撮像部１０３により撮像された動画や静止画の画像データに対し、画素補間、縮小といったリサイズ処理や色変換処理を行う。また、画像処理部１０５は、上記処理を施した静止画データをＪＰＥＧ等により圧縮符号化したり、動画データをＭＰＥＧ２やＨ．２６４等の動画圧縮方式でエンコードして画像ファイルを生成し、記録媒体１１１に記録する。また、画像処理部１０５は、撮像した画像データを用いて所定の演算処理を行い、得られた演算結果に基づき制御部１０１が光学系１０２のフォーカスレンズや絞り、シャッターを制御することで、ＡＦ（オートフォーカス）処理やＡＥ（自動露出）処理を行う。
【００２１】
不揮発性メモリ１０６は、電気的に消去・記録可能なメモリであり、例えばＥＥＰＲＯＭ等が用いられる。不揮発性メモリ１０６には、制御部１０１の動作用の定数、プログラム等が記録される。ここでいう、プログラムとは、本実施形態にて後述する各種フローチャートを実行するためのプログラムのことである。
【００２２】
作業用メモリ１０７は、制御部１０１の動作用の定数、変数、不揮発性メモリ１０６から読み出したプログラムなどを展開する作業領域として使用される。また、作業用メモリ１０７は、撮像部１０３で撮像された画像データを一時的に保持するバッファメモリや、表示部１０９の画像表示用メモリとして使用される。
【００２３】
操作部１０８は、ユーザ操作を受け付ける各種スイッチ、ボタン、タッチパネル等の操作手段であり、例えば、図２（ａ）及び（ｂ）に示す電源スイッチ１０８ａ、シャッタースイッチ１０８ｂ、モード切替スイッチ１０８ｃなどを含む。モード切替スイッチ１０８ｃは回転式のダイヤルスイッチからなり、制御部１０１の動作モードを静止画撮影モード（図２（ａ））及び動画記録モード（図２（ｂ））その他の画像撮影モードや再生モードなどに切り替え可能である。画像撮影モードに含まれるモードとして、オート撮影モード、オートシーン判別モード、マニュアルモード（Ｍ）、プログラムＡＥモード（Ｐ）、カスタムモード、リモート撮影モードなどがある。
【００２４】
シャッタースイッチ１０８ｂは、デジタルカメラ１００に設けられたシャッターボタンの操作途中、いわゆる半押し（撮影準備指示）でＯＮとなり第１シャッタースイッチ信号ＳＷ１を発生する。第１シャッタースイッチ信号ＳＷ１を受けて、制御部１０１は撮像部１０３を制御することによりＡＦ（オートフォーカス）処理やＡＥ（自動露出）処理、ＡＷＢ（オートホワイトバランス）処理、ＥＦ（フラッシュプリ発光）処理などの動作を開始する。また、シャッタースイッチ１０８ｂは、シャッターボタンの操作完了、いわゆる全押し（撮影指示）でＯＮとなり、第２シャッタースイッチ信号ＳＷ２を発生する。制御部１０１は、第２シャッタースイッチ信号ＳＷ２を受けて、撮像部１０３からの信号読み出しから記録媒体１１１に画像データを書き込むまでの一連の撮影処理の動作を開始する。
【００２５】
表示部１０９は、撮影時のビューファインダー画像の表示、撮影した画像の表示、対話的な操作のための文字表示などを行う。表示部１０９は、例えば、液晶ディスプレイ、有機ＥＬディスプレイ等の表示デバイスである。表示部１０９は、デジタルカメラ１００と一体化された構成であっても、デジタルカメラ１００と接続された外部機器であっても良い。
【００２６】
記録媒体１１１は、画像処理部１０５により符号化された画像ファイルが記録されたり、制御部１０１により既に記録されている画像ファイルが読み出される。記録媒体１１１は、デジタルカメラ１００に装着されるメモリカードやハードディスクドライブなどであっても良いし、デジタルカメラ１００に内蔵されたフラッシュメモリやハードディスクドライブであっても良い。
【００２７】
通信部１１０は、スマートフォン２００などの外部装置と接続するためのインターフェースである。本実施形態のデジタルカメラ１００は、通信部１１０を介して、外部装置とデータの授受を行うことができる。なお、本実施形態では、通信部１１０は外部装置と無線ＬＡＮで通信するためのインターフェースを含む。制御部１０１は、通信部１１０を制御することで外部装置との無線通信を実現する。なお、通信方式は無線ＬＡＮに限定されるものではなく、例えばＵＳＢ（Ｕｎｉｖｅｒｓａｌ Ｓｅｒｉａｌ Ｂｕｓ）やＢｌｕｅｔｏｏｔｈ（登録商標） Ｌｏｗ Ｅｎｅｒｇｙなどを用いることができる。なお、ＮＦＣ（Ｎｅａｒ Ｆｉｅｌｄ Ｃｏｍｍｕｎｉｃａｔｉｏｎ）など、通信距離が１０ｃｍ前後の近接無線通信を用いることもできるが、リモート撮影のメリットを享受するためにはある程度の通信距離（数ｍ以上）を有する通信方法が望ましい。
【００２８】
＜通信装置の構成＞次に、本発明の通信機器を適用した一実施形態のスマートフォン２００の構成及び機能について説明する。
【００２９】
本実施形態のスマートフォン２００は、図２（ｃ）に示す操作部２０８及び表示部２０９の他、図示しない制御部、撮像部、不揮発性メモリ、作業用メモリ、記録媒体、通信部を備える。上記各要素の基本的な機能はデジタルカメラ１００と同様であり、詳細な説明は省略する。なお、通信機器をＰＣとした場合、ＰＣは表示部を備えている必要はなく、表示部の表示を制御する表示制御機能を有していれば良い。
【００３０】
また、操作部２０８は物理的な押しボタンの他、表示部２０９と一体化されたタッチパネル等を含み、無線ＬＡＮで接続されたデジタルカメラ１００に対して動画記録の開始指示や終了指示を行える。通信プロトコルとしてはＰＴＰなどを想定しているが、本発明においてはプロトコルについて特に規定はしない。
【００３１】
なお、不揮発性メモリには、デジタルカメラ１００と通信するためのプログラムが保持され、カメラアプリケーションとしてインストールされているものとする。なお、本実施形態におけるスマートフォン２００の処理は、カメラアプリケーションにより提供されるプログラムを読み込むことにより実現される。なお、カメラアプリケーションはスマートフォン２００にインストールされたＯＳの基本的な機能を利用するためのプログラムを有しているものとする。なお、スマートフォン２００のＯＳが本実施形態における処理を実現するためのプログラムを有していても良い。
【００３２】
本実施形態のスマートフォン２００は更に公衆網接続部を有する。公衆網接続部は、公衆無線通信を行う際に用いられるインターフェースである。スマートフォン２００は、公衆網接続部を介して、他の機器と通話をしたり、データ通信をすることができる。通話の際には、制御部はマイクおよびスピーカを介して音声信号の入力と出力を行う。本実施形態では、公衆網接続部は３Ｇを用いた通信を行うためのインターフェースを含むものとする。なお、３Ｇに限らず、ＬＴＥやＷｉＭＡＸ、ＡＤＳＬ、ＦＴＴＨ、いわゆる４Ｇといった他の通信方式を用いても良い。また、通信部および公衆網接続部は必ずしも独立したハードウェアで構成する必要はなく、例えば１つのアンテナで兼用することも可能である。
【００３３】
＜動画記録処理＞次に、図３を参照して、本実施形態のデジタルカメラ１００とスマートフォン２００による動画記録処理について説明する。
【００３４】
本実施形態では、スマートフォン２００でのリモート撮影によるデジタルカメラ１００の動画記録中にスマートフォン２００との通信が切断された場合に、デジタルカメラ１００が仮想動画記録モードに設定されているか否かに応じてカメラの制御を切り替える。
【００３５】
本実施形態のシステムは、デジタルカメラ１００とスマートフォン２００が無線ＬＡＮにより通信可能に接続され、スマートフォン２００をリモートコントローラとしてデジタルカメラ１００の撮影を制御する。撮影者はスマートフォン２００を所持し、デジタルカメラ１００により撮影された画像がスマートフォン２００の表示部２０９に表示される。撮影者はデジタルカメラ１００から離れた場所にいても、スマートフォン２００の表示部２０９に表示されるライブ画像を見ながら、デジタルカメラ１００により撮影される画像を確認できる。スマートフォン２００は、デジタルカメラ１００に対して撮影開始を指示する撮影指令を送信し、デジタルカメラ１００は撮影指令を受付けると被写体の撮像処理を実行して画像を取得する。デジタルカメラ１００はスマートフォン２００に対して、撮像部１０３で撮像された画像を送信する。なお、デジタルカメラ１００は、スマートフォン２００を介することなく、直接、撮影者の操作を受け付けて撮影を行うことができる。
【００３６】
なお、通信ネットワークの規格は、Ｗｉ−Ｆｉ等の無線ＬＡＮが用いられるが、Ｂｌｕｅｔｏｏｔｈ（登録商標）等の無線通信、第３世代移動通信システム（３Ｇ）、第４世代移動通信システム（４Ｇ）や有線通信の規格であっても良い。また、スマートフォン２００には、リモート撮影用のアプリケーションプログラム（以下、撮影制御アプリ）がインストールされているものとする。
【００３７】
デジタルカメラ１００は通常撮影モードとリモート撮影モードの間でモード設定を切り替えて撮影できるものとする。通常撮影モードとは、デジタルカメラ１００が撮影者からの操作を直接受け付けて撮影を行うモードである。リモート撮影モードとは、スマートフォン２００によりデジタルカメラ１００を外部から操作して撮影を行うモードである。通常撮影モードでは、デジタルカメラ１００は撮像部１０３で撮像された画像データを記録媒体１１１に記録する。一方、リモート撮影モードでは、デジタルカメラ１００は、撮像部１０３で撮像された画像データをスマートフォン２００に送信する。スマートフォン２００は、デジタルカメラ１００から受信した画像データを記録する。また、スマートフォン２００は、再生モードにおいて記録媒体に記録された画像データを再生可能である。
【００３８】
本実施形態のデジタルカメラ１００は、モード切替スイッチ１０８ｃの設定が動画記録モードではない場合であってもスマートフォン２００からのリモート制御を受け付けて動画の撮影・記録を行う仮想的な動画記録モードに切り替え可能である。以下では、このような動画記録状態を「仮想動画記録モード」と呼ぶ。この場合、操作部１０８が操作されてもデジタルカメラ１００の内部では操作を受け付けないようなロック状態となる。
【００３９】
図３は、本発明に係る実施形態１の動画記録処理を示すフローチャートである。
【００４０】
以下では、リモート制御による動画記録中に無線切断を検出した際、デジタルカメラ１００が仮想動画記録モードであるか否か判定し、仮想動画記録モードでなければ動画記録を継続し、仮想動画記録モードの場合には動画記録を停止するように制御を行う。
【００４１】
なお、図３の処理は、スマートフォン２００においてカメラアプリケーションが起動され、デジタルカメラ１００がリモート撮影モードに設定されている状態においてデジタルカメラ１００の不揮発性メモリ１０６に格納されたプログラムを、作業用メモリ１０７に読み出して制御部１０１が実行することにより実現される。後述する図４及び図５の処理も同様である。
【００４２】
ステップＳ３０１では、制御部１０１は、通信部１１０によりスマートフォン２００との無線接続を確立する。この無線接続を確立するまでの手順の詳細な説明は省略するが、既存の技術を用いて、操作部１０８及び表示部１０９を用いてスマートフォン２００との接続処理を完了させる。なお、ＮＦＣやＢｌｕｅＴｏｏｔｈ（登録商標） Ｌｏｗ Ｅｎｅｒｇｙ等の近距離無線通信技術などを用いたタッチ接続等を用いることもできる。
【００４３】
ステップＳ３０２では、制御部１０１は操作部１０８に含まれるモード切替スイッチ１０８ｃが動画記録モードに設定されているか否かを判定する。判定の結果、動画記録モード（図２（ｂ））に設定されている場合にはステップＳ３０３に進み、動画記録モード以外の動作モード（例えば、図２（ａ）の静止画撮影モード）に設定されている場合にはステップＳ３０５に進む。
【００４４】
ステップＳ３０３では、制御部１０１は動作モードを仮想動画記録モードに設定し、この設定状態を作業用メモリ１０７に記憶する。
【００４５】
ステップＳ３０４では、制御部１０１は、操作部１０８からの操作を受け付けないロック状態に設定する。仮想動画記録モードに設定されると、モード切替スイッチ１０８ｃの設定状態と装置内部の制御状態との間に差異が発生するため、この状態のまま操作部１０８を介してデジタルカメラ１００の操作が行われると矛盾が発生するおそれがある。このため、仮想動画記録モードに設定した場合には、操作部１０８による操作を受け付けないようにする。
【００４６】
ステップＳ３０５では、制御部１０１は、スマートフォン２００から動画記録開始要求を待つ。ここで、制御部１０１は、デジタルカメラ１００が仮想動画記録モードに設定されていない場合は、操作部１０８の操作を受け付け可能であるため、デジタルカメラ１００の操作部１０８、または、スマートフォン２００の操作部２０８からの操作要求を待つ。また、制御部１０１は、デジタルカメラ１００が仮想動画記録モードに設定されている場合には、スマートフォン２００の操作部２０８からの操作要求を待つ。
【００４７】
ステップＳ３０５で動画記録開始要求を受け付けるとステップＳ３０６に進み、制御部１０１は、動画記録処理を開始する。
【００４８】
ステップＳ３０７では、制御部１０１は、スマートフォン２００から動画記録の停止要求を受け付けたか否かを判定し、受け付けた場合にはステップＳ３１１に進み、受け付けない場合にはステップＳ３０８に進む。
【００４９】
ステップＳ３０８では、制御部１０１は、通信部１１０により無線の電波状態を確認する。
【００５０】
ステップＳ３０９では、制御部１０１は、スマートフォン２００との無線接続が切断されたか否かを検出し、切断が検出されない場合は、ステップＳ３０７に戻って動画記録を継続し、切断が検出された場合はステップＳ３１０に進む。
【００５１】
ステップＳ３１０では、制御部１０１は、ステップＳ３０３で作業用メモリ１０７に記憶した設定状態に基づいて仮想動画記録モードであるか否かを判定する。判定の結果、仮想動画記録モードでない場合にはステップＳ３０７に戻って動画記録を継続し、仮想動画記録モードである場合はステップＳ３１１に進み、動画記録処理を停止する。
【００５２】
以上のように、本実施形態によれば、デジタルカメラ１００とスマートフォン２００が無線接続されたリモート制御による動画記録中に接続が切断されたことが検出された場合であっても、仮想動画記録モードでなければ動画記録を継続し、仮想動画記録モードの場合には動画記録を停止する。これにより、ユーザの操作性を低下させることなく動画記録を継続できるようになる。
【００５３】
［実施形態２］次に、図４を参照して、本発明に係る実施形態２による動画記録処理について説明する。
【００５４】
本実施形態は、デジタルカメラ１００とスマートフォン２００が無線接続されたリモート制御による動画記録中に接続が切断されたことが検出された場合に、再接続されるか否かを判定するために一定時間待機し、再接続されない場合に動画記録を停止する制御について説明する。
【００５５】
なお、以下では、実施形態１と同様の処理に関する説明は省略し、異なる点を中心に説明を行う。
【００５６】
図４において、ステップＳ４０１〜Ｓ４２０及びＳ４１５の処理は、図３のステップＳ３０１〜３１１と同様である。
【００５７】
ステップＳ４１０で仮想動画記録モードであると判定された場合、ステップＳ４１１に進み、制御部１０１は、スマートフォン２００と再接続されるか否かを判定するための待機時間を取得する。この待機時間は、不揮発性メモリ１０６に固定の閾値として保持しておいても良いし、操作部１０８や表示部１０９を用いてメニュー画面などで任意に設定可能としても良く、どのような設定方法であっても良い。
【００５８】
ステップＳ４１２では、制御部１０１は、通信部１１０により無線の電波状態を確認する。
【００５９】
ステップＳ４１３では、制御部１０１は、スマートフォン２００との無線接続が再度確立されたか否かを判定し、再接続された場合にはステップＳ４０７に戻って動画記録を継続し、再接続されていない場合にはステップＳ４１４に進む。
【００６０】
ステップＳ４１４では、制御部１０１は、再接続されていない状態のままステップＳ４１１で取得した待機時間を経過したか否かを判定し、待機時間を経過する間でステップＳ４１２〜Ｓ４１３の処理を繰り返す。また、制御部１０１は、待機時間を経過した時点でステップＳ４１５に進み、動画記録を停止する。
【００６１】
以上のように、本実施形態によれば、デジタルカメラ１００とスマートフォン２００が無線接続されたリモート制御による動画記録中に接続が切断されたことが検出された場合に、ある一定時間内に無線接続が再度確立されると動画記録を継続する。これにより、ユーザの操作性を低下させることなく動画記録を継続できるようになる。
【００６２】
［実施形態３］次に、図５を参照して、本発明に係る実施形態３による動画記録処理について説明する。
【００６３】
本実施形態は、デジタルカメラ１００とスマートフォン２００が無線接続されたリモート制御による動画記録中に接続が切断されたことが検出された場合に、仮想動画記録モードに設定されているか否かにかかわらず動画記録を継続する制御について説明する。
【００６４】
なお、以下では、実施形態１と同様の処理に関する説明は省略し、異なる点を中心に説明を行う。
【００６５】
図５において、ステップＳ５０１〜Ｓ５１０及びＳ５１９の処理は、図３のステップＳ３０１〜Ｓ３１１と同様である。
【００６６】
ステップＳ５１０で仮想動画記録モードであると判定された場合、ステップＳ５１１に進み、制御部１０１は、ステップＳ５０４で設定したロック状態を解除する。これにより、操作部１０８による操作が可能になるが、モード切替スイッチ１０８ｃの設定状態とデジタルカメラ１００内部の制御状態が異なった状態となる可能性がある。そして、このロック解除状態では、デジタルカメラ１００の機能すべてを提供することは難しいことが想定される（例えば、動画記録の停止操作のみを許可するような限定的な機能を提供するケースが想定される）。したがって、このような特殊な状態で動作していることをユーザに通知しておく必要がある。
【００６７】
ステップＳ５１２では、制御部１０１は、仮想動画記録モードであることを表示部１０９に表示する。図２（ｄ）は仮想動画記録モード時の表示画面を例示している。図２（ｄ）において、表示部１０９には、動画記録中であることを示す「Ｒｅｃ」などのアイコン或いは文字１２１が表示されると共に、モード切替スイッチ１０８ｃの設定とは異なる仮想動画記録モードであることを示す「仮想動画記録モード」などの文字１２２が表示される。なお、図２（ｄ）と同様の表示は、デジタルカメラ１００と無線接続されたスマートフォン２００の表示部２０９にも表示され、仮想動画記録モードであることがユーザに通知される。
【００６８】
ステップＳ５１３では、制御部１０１は、スマートフォン２００から動画記録の停止要求を受け付けたか否かを判定し、受け付けた場合にはステップＳ５１４に進み、受け付けない場合にはステップＳ５１９に進む。
【００６９】
ステップＳ５１４では、制御部１０１は、モード切替スイッチ１０８ｃが動画記録モードに設定されているか否かを判定する。判定の結果、動画記録モード（図２（ｂ））に設定されている場合にはステップＳ５１５に進み、動画記録モード以外の動作モードに設定されている場合にはステップＳ５１３に戻る。
【００７０】
ステップＳ５１５では、制御部１０１は、仮想動画記録モードを解除する。
【００７１】
ステップＳ５１６では、制御部１０１は、表示部１０９に表示されている仮想動画記録モードであることを示す図２（ｄ）の表示１２２を消去する。なお、図２（ｄ）の表示１２２は、スマートフォン２００の表示部２０９からも消去される。
【００７２】
ステップＳ５１７では、制御部１０１は、動画記録の停止要求を受け付けたか否かを判定し、受け付けた場合にはステップＳ５１９に進み、受け付けない場合にはステップＳ５１８に進む。
【００７３】
ステップＳ５１８では、制御部１０１は、モード切替スイッチ１０８ｃが動画記録モードに設定されているか否かを判定する。判定の結果、動画記録モード（図２（ｂ））に設定されている場合にはステップＳ５１７に戻り、動画記録モード以外の動作モードに設定されている場合にはステップＳ５１９に進み、動画記録を停止する。
【００７４】
以上のように、本実施形態によれば、デジタルカメラ１００とスマートフォン２００が無線接続されたリモート制御による動画記録中に接続が切断されたことが検出された場合に、仮想動画記録モードに設定されているか否かにかかわらず動画記録を継続する。これにより、ユーザの操作性を低下させることなく動画記録を継続できるようになる。
【００７５】
本発明は、上述した実施形態１〜３を組み合わせることで更に様々な制御を行うことが可能である。詳細な説明は省略するが、実施形態１〜３を組み合わせた場合にも、ユーザの操作性を低下させることなくデジタルカメラ１００とスマートフォン２００が無線接続されたリモート制御による動画記録を実現できる。
【００７６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７７】
１００…デジタルカメラ、１０１…制御部、１０２…光学系、１０３…撮像部、１０８…操作部、１０８ｃ…モード切替スイッチ、１０９…表示部、１１０…通信部、２００…スマートフォン
【図１】
0006559018.tif 000002
【図２】
0006559018.tif 000003
【図３】
0006559018.tif 000004
【図４】
0006559018.tif 000005
【図５】
0006559018.tif 000006